(57)【要約】【課題】擬似窓構造において、閉鎖的空間に設けられていても開放的な空間に連通する窓と同様の開放感が得られるようにする。【解決手段】擬似窓構造１は、開口部Ｏが形成された壁体２と、開口部Ｏよりも広い範囲を覆うことができる表示画面３ａを有し、壁体２の厚さ方向において壁体２から離間して配置されており、表示画面３ａが、厚さ方向において開口部Ｏと重なる中心表示部Ｄｃと、開口部Ｏに沿って開口部Ｏを周回する壁体２の縁表面２ｃと厚さ方向において対向する周縁表示部Ｄｅと、からなるディスプレイパネル３と、縁表面２ｃと周縁表示部Ｄｅとの間の隙間を通して、縁表面２ｃに沿う第１方向において開口部Ｏを挟んで互いに対向する方向に送風可能であり、縁表面２ｃに沿って第１方向と直交する第２方向に延びる帯状の送風口４ｄ、５ｄを有する送風装置４、５と、を備える。【選択図】図２
2020129042.tif 000002
【特許請求の範囲】
【請求項１】
開口部が形成された壁体と、
前記開口部よりも広い範囲を覆うことができる表示画面を有し、前記壁体の厚さ方向において前記壁体から離間して配置されており、前記表示画面が、前記厚さ方向において前記開口部と重なる中心表示部と、前記開口部に沿って前記開口部を周回する前記壁体の縁表面と前記厚さ方向において対向する周縁表示部と、からなる表示体と、
前記縁表面と前記周縁表示部との間の隙間を通して、前記縁表面に沿う第１方向において前記開口部を挟んで互いに対向する方向に送風可能であり、前記縁表面に沿って前記第１方向と直交する第２方向に延びる帯状の送風口を有する一対の送風装置と、
を備える、擬似窓構造。
【請求項２】
前記厚さ方向において前記壁体よりも前記表示体と反対側に突出し、前記開口部に沿って設けられた窓枠部をさらに備える、
請求項１に記載の擬似窓構造。
【請求項３】
前記周縁表示部の短手幅は、前記隙間の距離よりも長い、
請求項１または２に記載の擬似窓構造。
【請求項４】
前記隙間を前記第２方向において塞ぐカバー部材をさらに備える、
請求項１〜３のいずれか１項に記載の擬似窓構造。
【請求項５】
前記隙間を通して、前記第２方向において前記開口部を挟んで互いに対向する方向に吸気可能であり、前記第１方向に延びる帯状の吸気口を有する一対の吸気装置をさらに備える、
請求項１〜３のいずれか１項に記載の擬似窓構造。
【請求項６】
前記一対の送風装置におけるそれぞれの前記送風口と、前記表示体と、を、前記壁体との間で囲繞する筐体をさらに備える、
請求項１〜３のいずれか１項に記載の擬似窓構造。
【請求項７】
前記表示体は、映像表示パネルからなる、
請求項１〜６のいずれか１項に記載の擬似窓構造。
【請求項８】
前記一対の送風装置の少なくとも一方は、
前記送風口に連通され、容積可変に設けられた空気収容部材と、
前記空気収容部材に空気を供給する空気供給器と、
前記空気収容部材の容積を低減するために前記空気収容部材を押圧することによって、前記空気収容部材の前記空気を前記送風口から吹き出させる押圧器と、
を備える、
請求項１〜７のいずれか１項に記載の擬似窓構造。
【請求項９】
前記一対の送風装置の少なくとも一方は、前記送風口から送風される空気流に香り蒸気を供給する香り供給器を備える、
請求項１〜８のいずれか１項に記載の擬似窓構造。
【請求項１０】
前記一対の送風装置の少なくとも一方は、前記送風口から送風される空気流に香り蒸気を供給する香り供給器を備え、
前記香り供給器は、
前記空気収容部材内の前記空気に前記香り蒸気を混合して、前記空気収容部材に戻す、
請求項８に記載の擬似窓構造。
【請求項１１】
開口部が形成された壁体に擬似窓を形成する擬似窓モジュールであって、
前記開口部よりも広い範囲を覆うことができる表示画面を有し、前記壁体の厚さ方向において前記壁体から離間して配置可能とされており、前記表示画面が、前記厚さ方向において前記開口部と重なる中心表示部と、前記開口部に沿って前記開口部を周回する前記壁体の縁表面と前記厚さ方向において対向する周縁表示部と、からなる表示体と、
前記縁表面と前記周縁表示部との間の隙間を通して、前記縁表面に沿う第１方向において前記開口部を挟んで互いに対向する方向に送風可能であり、前記縁表面に沿って前記第１方向と直交する第２方向に延びる帯状の送風口を有する一対の送風装置と、
を備える、擬似窓モジュール。
【請求項１２】
前記壁体における前記開口部の内部、および前記壁体において前記表示体および前記送風装置が固定された表面の少なくとも一方に配置可能とされ、前記開口部に沿う窓枠を形成する窓枠部をさらに備える、
請求項１１に記載の擬似窓モジュール。
【発明の詳細な説明】
【技術分野】
【０００１】
本発明は、擬似窓構造および擬似窓モジュールに関する。
【背景技術】
【０００２】
表示装置における表示画像に臨場感を付与する目的で、送風装置が付加された表示装置が知られている。送風装置が送る空気流には、表示画像に対応する匂いが付けられる場合もある。
例えば、特許文献１に開示された視聴覚システムでは、匂いを有する複数の空気流を衝突させ、表示画面の前方に向かう空気流を形成する。この視聴覚ステムでは、各空気流の衝突位置を変更することができるので、空気流が搬送する匂いが衝突位置で発生しているかのように視聴者に知覚させることができる。
【先行技術文献】
【特許文献】
【０００３】
【特許文献１】特許第５９３９５１５号公報
【発明の概要】
【発明が解決しようとする課題】
【０００４】
しかしながら、上記のような従来技術には以下のような問題がある。
特許文献１に記載の技術によって得られる効果は、匂いの発生源が表示画像の一部に写っている場合に限定される。匂いの種類も、表示画像中で匂いの発生源が容易に特定されるような強めの匂いに限られる。
さらに、特許文献１に記載の送風装置では、表示画面の一部から視聴者に向かう指向性が強く狭い範囲で流れる空気流が形成される。しかし、このような空気流は、窓から流れ込む自然な風とは異なるため、表示画像の種類によっては、不自然さが感じられるという問題がある。
例えば、室内に開放感やリラクゼーション効果をもたらす目的で擬似窓を形成するという用途が考えられる。この場合、表示画像としては、屋外の自然環境画像が用いられることが多い。このような場面においては、指向性の強い空気流よりも、窓枠全体から入る爽やかなそよ風であったり、軽く風鈴を鳴らすような微風であったりすることがより相応しい。特許文献１に記載の技術は、こうした用途には利用できないという問題がある。
【０００５】
本発明は、上記のような問題に鑑みてなされたものであり、閉鎖的空間に設けられていても開放的な空間に連通する窓と同様の開放感が得られる擬似窓構造および擬似窓モジュールを提供することを目的とする。
【課題を解決するための手段】
【０００６】
上記の課題を解決するために、本発明の第１の態様の擬似窓構造は、開口部が形成された壁体と、前記開口部よりも広い範囲を覆うことができる表示画面を有し、前記壁体の厚さ方向において前記壁体から離間して配置されており、前記表示画面が、前記厚さ方向において前記開口部と重なる中心表示部と、前記開口部に沿って前記開口部を周回する前記壁体の縁表面と前記厚さ方向において対向する周縁表示部と、からなる表示体と、前記縁表面と前記周縁表示部との間の隙間を通して、前記縁表面に沿う第１方向において前記開口部を挟んで互いに対向する方向に送風可能であり、前記縁表面に沿って前記第１方向と直交する第２方向に延びる帯状の送風口を有する一対の送風装置と、を備える。
【０００７】
上記擬似窓構造においては、前記厚さ方向において前記壁体よりも前記表示体と反対側に突出し、前記開口部に沿って設けられた窓枠部をさらに備えてもよい。
【０００８】
上記擬似窓構造においては、前記周縁表示部の短手幅は、前記隙間の距離よりも長くてもよい。
【０００９】
上記擬似窓構造においては、前記隙間を前記第２方向において塞ぐカバー部材をさらに備えてもよい。
【００１０】
上記擬似窓構造においては、前記隙間を通して、前記第２方向において前記開口部を挟んで互いに対向する方向に吸気可能であり、前記第１方向に延びる帯状の吸気口を有する一対の吸気装置をさらに備えてもよい。
【００１１】
上記擬似窓構造においては、前記一対の送風装置におけるそれぞれの前記送風口と、前記表示体と、を、前記壁体との間で囲繞する筐体をさらに備えてもよい。
【００１２】
上記擬似窓構造においては、前記表示体は、映像表示パネルからなってもよい。
【００１３】
上記擬似窓構造においては、前記一対の送風装置の少なくとも一方は、前記送風口に連通され、容積可変に設けられた空気収容部材と、前記空気収容部材に空気を供給する空気供給器と、前記空気収容部材の容積を低減するために前記空気収容部材を押圧することによって、前記空気収容部材の前記空気を前記送風口から吹き出させる押圧器と、を備えてもよい。
【００１４】
上記擬似窓構造においては、前記一対の送風装置の少なくとも一方は、前記送風口から送風される空気流に香り蒸気を供給する香り供給器を備えてもよい。
【００１５】
上記擬似窓構造においては、前記一対の送風装置の少なくとも一方は、前記送風口から送風される空気流に香り蒸気を供給する香り供給器を備え、前記香り供給器は、前記空気収容部材内の前記空気に前記香り蒸気を混合して、前記空気収容部材に戻してもよい。
【００１６】
本発明の第２の態様の擬似窓モジュールは、開口部が形成された壁体に擬似窓を形成する擬似窓モジュールであって、前記開口部よりも広い範囲を覆うことができる表示画面を有し、前記壁体の厚さ方向において前記壁体から離間して配置可能とされており、前記表示画面が、前記厚さ方向において前記開口部と重なる中心表示部と、前記開口部に沿って前記開口部を周回する前記壁体の縁表面と前記厚さ方向において対向する周縁表示部と、からなる表示体と、前記縁表面と前記周縁表示部との間の隙間を通して、前記縁表面に沿う第１方向において前記開口部を挟んで互いに対向する方向に送風可能であり、前記縁表面に沿って前記第１方向と直交する第２方向に延びる帯状の送風口を有する一対の送風装置と、を備える。
【００１７】
上記擬似窓モジュールにおいては、前記壁体における前記開口部の内部、および前記壁体において前記表示体および前記送風装置が固定された表面の少なくとも一方に配置可能とされ、前記開口部に沿う窓枠を形成する窓枠部をさらに備えてもよい。
【発明の効果】
【００１８】
本発明の擬似窓構造および擬似窓モジュールによれば、閉鎖的空間に設けられていても開放的な空間に連通する窓と同様の開放感が得られる。
【図面の簡単な説明】
【００１９】
【図１】本発明の第１の実施形態の擬似窓構造の一例を示す模式的な正面図である。
【図２】図１におけるＡ−Ａ断面図である。
【図３】本発明の第１の実施形態の擬似窓構造の一例を示す分解斜視図である。
【図４】本発明の第１の実施形態の擬似窓構造における制御系の構成を示すブロック図である。
【図５】本発明の第２の実施形態の擬似窓構造の一例を示す模式的な正面図である。
【図６】図５におけるＢ−Ｂ断面図である。
【図７】本発明の第３の実施形態の擬似窓構造の主要部の構成例を示す模式的な斜視図である。
【図８】本発明の第４の実施形態の擬似窓構造の一例を示す分解斜視図である。
【図９】本発明の第４の実施形態の擬似窓構造における制御系の構成を示すブロック図である。
【図１０】本発明の第５の実施形態の擬似窓構造の一例を示す分解斜視図である。
【図１１】本発明の第６の実施形態の擬似窓構造の一例を示す分解斜視図である。
【図１２】本発明の第６の実施形態の擬似窓構造の一例を示す水平方向の断面図である。
【図１３】本発明の第７の実施形態の擬似窓構造の一例を示す模式的な正面図である。
【図１４】本発明の第７の実施形態の擬似窓構造における制御系の構成を示すブロック図である。
【図１５】本発明の第７の実施形態の擬似窓構造の主要部の構成を示す模式的な斜視図である。
【図１６】本発明の第７の実施形態の擬似窓構造における香り供給器の構成例を示す模式的な斜視図である。
【図１７】本発明の第７の実施形態における送風装置の動作例を示すタイミングチャートである。
【図１８】本発明の第８の実施形態の擬似窓モジュールの構成例を示す模式的な分解斜視図である。
【発明を実施するための形態】
【００２０】
以下では、本発明の実施形態について添付図面を参照して説明する。すべての図面において、実施形態が異なる場合であっても、同一または相当する部材には同一の符号を付し、共通する説明は省略する。
【００２１】
［第１の実施形態］
本発明の第１の実施形態の擬似窓構造について説明する。
図１は、本発明の第１の実施形態の擬似窓構造の一例を示す模式的な正面図である。図２は、図１におけるＡ−Ａ断面図である。図３は、本発明の第１の実施形態の擬似窓構造の一例を示す分解斜視図である。図４は、本発明の第１の実施形態の擬似窓構造における制御系の構成を示すブロック図である。
【００２２】
図１〜３に示すように、本実施形態の擬似窓構造１は、壁体２、ディスプレイパネル３（表示体、映像表示パネル）、および送風装置４、５を備える。擬似窓構造１は、カバー部材６、７をさらに備える。図４に示すように、擬似窓構造１は、制御部１００をさらに備える。
【００２３】
図１に示すように、壁体２は、床面Ｆから鉛直方向に立設されている。以下では、壁体２の表面に沿う鉛直方向をＹ方向、壁体２の表面に沿ってＹ方向の直交する方向をＸ方向と称する。
図２に示すように、壁体２の厚さはＬｈである。壁体２には、厚さ方向に開口部Ｏが貫通している。開口部Ｏの形状は特に限定されない。例えば、開口部Ｏは、矩形、多角形、円形、楕円形、長円形などであってもよい。
以下では、図１に示すように、一例として、開口部Ｏが横長の矩形状に形成されている場合の例で説明する。図１に示す例では、開口部Ｏは、Ｘ方向において互いに対向しＹ方向に延びる縦方向内面２ａと、Ｙ方向において互いに対向しＸ方向に延びる横方向内面２ｂと、によって形成されている。縦方向内面２ａの長さＬ２ａと、横方向内面２ｂの長さＬ２ｂ（ただし、Ｌ２ｂ＞Ｌ２ａ）とは、必要に応じて適宜の長さとされる。
【００２４】
図２に示すように、ディスプレイパネル３は、壁体２の厚さ方向における一方の表面から厚さ方向に離間して配置されている。ディスプレイパネル３は、開口部Ｏに沿って開口部Ｏを周回する壁体２の縁表面２ｃと、開口部Ｏと、に対向している。
以下では、縁表面２ｃを有する壁体２の表面を背面、厚さ方向において背面と対向する表面を正面と称する。
ディスプレイパネル３は、表示部３ｂ、駆動回路３ｃ、およびカバー３ｄを備える。特に図示しないが、ディスプレイパネル３は、スピーカをさらに備えていてもよい。
【００２５】
表示部３ｂとしては、例えば、液晶パネル、プラズマディスプレイ、ＥＬ（エレクトロルミネッセンス）パネルなどが用いられる。図１に示すように、本実施形態では、表示部３ｂは、矩形状の表示画面３ａを備える。表示画面３ａの面積は、開口部Ｏの面積よりも大きい。壁体２の正面から厚さ方向に見ると、表示画面３ａの中心は、開口部Ｏの中心と略一致している。このため、表示画面３ａは、厚さ方向において開口部Ｏと対向する中心表示部Ｄｃと、縁表面２ｃと対向する周縁表示部Ｄｅと、に分かれる。ただし、中心表示部Ｄｃおよび周縁表示部Ｄｅは、配置の説明のための区分けである。中心表示部Ｄｃおよび周縁表示部Ｄｅの境界で映像が切り替わったり、切れ目が発生したりするわけではない。
周縁表示部Ｄｅは、表示画面３ａにおいて中心表示部Ｄｃの外周を囲繞する矩形の帯状の領域である。縦方向内面２ａに沿う周縁表示部ＤｅのＸ方向の幅（短手幅）はＬｅｘである。横方向内面２ｂに沿う周縁表示部ＤｅのＹ方向の幅（短手幅）はＬｅｙである。
周縁表示部Ｄｅの幅Ｌｅｘ、Ｌｅｙは、少なくとも、正面側から開口部Ｏを斜め４５°程度の角度で見たときに表示画面３ａの外縁が見えない程度に設定される。例えば、周縁表示部Ｄｅと縁表面２ｃとの対向距離をＬｗ（図２参照）とすると、Ｌｅｘ＞Ｌｗ、Ｌｅｙ＞Ｌｗである。
Ｌｗが小さすぎると、奥行き感を知覚しにくいため、臨場感が低減してしまうおそれがある。Ｌｗが大きすぎると、擬似窓構造１自体の奥行き方向の設置スペース、表示画面３ａの面積などを増大させなくてはならず、省スペースになりにくいおそれがある。
周縁表示部Ｄｅと縁表面２ｃとの隙間は、後述する送風装置４、５の送風路としても用いられるため、Ｌｗの大きさが小さすぎたり、大きすぎたりすると、適正な風速や整流が行えなくなるおそれもある。
例えば、Ｌｗは、水平方向（Ｘ方向）の開口部Ｏの幅であるＬ２ｂの３０分の１以上であることがより好ましく、１５分の１以上であることがさらに好ましい。
【００２６】
駆動回路３ｃは、映像データに基づく映像を表示部３ｂに表示させる。例えば、映像データは後述する制御部１００から駆動回路３ｃに送出される。
映像の種類は、擬似窓構造１の用途に応じて選ぶことができる。例えば、擬似窓構造１が屋外に開く窓を模擬する場合には、窓の外側の風景が選ばれる。映像は、コンピュータグラフィックスでもよいし、実写映像でもよい。
例えば、映像の種類としては、野外風景、宇宙空間映像、仮想的な隣室映像などであってもよい。特に、好ましい映像としては、例えば、植物が揺れるなどして風が吹いていることが分かる映像が挙げられる。ただし、全体に遠景であったり、近景でもそよ風程度では揺れない物が写っていたりする場合には、静止画が用いられてもよい。
特に仮想的な隣室映像が用いられる場合、隣室が存在し擬似窓が隣室に通じている印象が得られる点で閉鎖的空間の印象が緩和されるため、開放感を与えられる。隣室映像には、例えば、人物、動物等の映像が含まれてもよい。
カバー３ｄは、表示部３ｂの裏面側から、表示部３ｂおよび駆動回路３ｃを覆う筐体である。
【００２７】
図４に示すように、ディスプレイパネル３は、制御部１００と通信可能に接続されている。ディスプレイパネル３の動作は、制御部１００からの制御信号に基づいて制御される。
例えば、ディスプレイパネル３がさらにスピーカを備える場合、制御部１００から音声信号がスピーカに供給されてもよい。
【００２８】
図１〜３に示すように、送風装置４、５は、互いに同様の構成を有し、Ｙ方向において互いに対向して配置されている。
送風装置４は、横方向内面２ｂに平行な姿勢で、ディスプレイパネル３の上端部に沿って配置されている。図２に示すように、送風装置４における壁体２側の側面は、壁体２の背面に当接している。このため、送風装置４は、開口部Ｏの上側の横方向内面２ｂよりも上側に位置する縁表面２ｃと周縁表示部Ｄｅとの間の隙間の上にまたがって配置されている。
送風装置４は、縁表面２ｃと周縁表示部Ｄｅとの間の隙間を通して、下方に空気流Ｗ４を送風可能である。
【００２９】
送風装置４は、ダクト４ｂ、整風部材４ｃ、およびファン４ａを備える。
ダクト４ｂは、下方に開口４ｄ（送風口）を有する略直方体の箱状に形成されている。開口４ｄは、Ｘ方向に延びており、平面視の形状はＸ方向に細長い帯状である。ダクト４ｂは、縁表面２ｃと周縁表示部Ｄｅとの間の隙間を、少なくとも横方向内面２ｂの長さ以上の範囲で上方から覆っている。
整風部材４ｃは、開口４ｄ内に設けられている。ただし、整風部材４ｃは、開口４ｄに面していれば開口４ｄの外部（下方）に配置されてもよい。
整風部材４ｃは、ダクト４ｂ内においてＸ方向に流れる空気流を下方に向けるとともに、空気流がＸ方向に分散して吹き出すように空気流を整える。
例えば、整風部材４ｃとしては、Ｙ方向に延びる多数の管路が密集したメッシュ板、ハニカム板、多孔質板などが用いられてもよい。整風部材４ｃに達する空気流は、ファン４ａから遠ざかるにつれて風圧が低下する。しかし、整風部材４ｃにおける流路抵抗を適宜調整することによって、Ｘ方向における風量分布を均等化することができる。
例えば、整風部材４ｃとしては、Ｘ方向に交差する姿勢で配置された複数の整風板がＸ方向に隙間をあけて配置された構成であってもよい。この場合、各整風板は、吹き出し方向、Ｘ方向の風量分布を調整するために、適宜の曲率を有する湾曲板、適宜傾斜して配置された平板などが用いられてもよい。
ファン４ａは、ダクト４ｂの長手方向の端部から、ダクト４ｂの内部に送風する。ファン４ａの種類は、ダクト４ｂの端部から送風できれば、特に限定されない。例えば、ファン４ａは、軸流ファン、遠心ファン、ブロアファンなどが用いられてもよい。
図４に示すように、ファン４ａは、制御部１００と通信可能に接続されている。ファン４ａの動作は、制御部１００からの制御信号に基づいて制御される。
【００３０】
図１に示すように、送風装置５は、横方向内面２ｂに平行な姿勢で、ディスプレイパネル３の下端部に沿って配置されている。図２に示すように、送風装置５における壁体２側の側面は、壁体２の背面に当接している。このため、送風装置５は、開口部Ｏの下側の横方向内面２ｂよりも下側に位置する縁表面２ｃと周縁表示部Ｄｅとの間の隙間の下にまたがって配置されている。
送風装置５は、縁表面２ｃと周縁表示部Ｄｅとの間の隙間を通して、上方に空気流Ｗ５を送風可能である。
【００３１】
送風装置５は、送風装置４のダクト４ｂ、整風部材４ｃ、およびファン４ａに対応して、それぞれダクト５ｂ、整風部材５ｃ、およびファン５ａを備える。以下、送風装置４と異なる点を中心に説明する。
ダクト５ｂは、上方に開口５ｄ（送風口）を有する点がダクト４ｂと異なる。開口５ｄは、開口４ｄと同様の形状を有し、開口４ｄとＸ方向に対向している。
整風部材５ｃは、開口５ｄ内に設けられている。ただし、整風部材５ｃは、開口５ｄに面していれば開口５ｄの外部（上方）に配置されてもよい。
整風部材５ｃは、ダクト５ｂ内においてＸ方向に流れる空気流を上方に向けるとともに、空気流がＸ方向に分散して吹き出すように空気流を整える。整風部材５ｃは、整風部材４ｃと同様の構成が用いられる。
ファン５ａは、ダクト５ｂの長手方向の端部から、ダクト５ｂの内部に送風する。ファン５ａは、ファン４ａと同様の構成が用いられる。
図４に示すように、ファン５ａは、制御部１００と通信可能に接続されている。ファン５ａの動作は、制御部１００からの制御信号に基づいて制御される。
【００３２】
図３に示すように、カバー部材６、７は、それぞれＸ方向におけるディスプレイパネル３の端部と壁体２の背面との間に配置される。カバー部材６、７は、主としてＸ方向において、縁表面２ｃと周縁表示部Ｄｅとの間の隙間を塞いでいる。本実施形態では、カバー部材６、７は、ダクト４ｂ、５ｂで塞がれないＹ方向における領域においても、縁表面２ｃと周縁表示部Ｄｅとの間の隙間を塞いでいる。
このため、ディスプレイパネル３の外縁部に沿う縁表面２ｃと周縁表示部Ｄｅとの間の隙間は、ダクト４ｂ、５ｂおよびカバー部材６、７のいずれかによって、Ｘ方向およびＹ方向に塞がれている。
【００３３】
以上説明したように、送風装置４、５の開口４ｄ、５ｄは、それぞれＸ方向に延び、Ｙ方向において互いに対向している。本実施形態は、送風装置４，５の各送風口（開口４ｄ、５ｄ）が延びる方向（第２方向）がＸ方向であり、各送風口の対向方向（第１方向）がＹ方向である場合の例になっている。
【００３４】
図４に示すように、制御部１００は、ファン４ａ、５ａ、およびディスプレイパネル３と通信可能に接続されている。制御部１００は、ファン４ａ、５ａ、およびディスプレイパネル３に制御信号を送出することによって、ファン４ａ、５ａ、およびディスプレイパネル３の動作を制御する。
さらに、本実施形態では、制御部１００は、ディスプレイパネル３に映像信号を供給する。このため、制御部１００は、映像データの記憶装置または映像データの記憶媒体の再生装置を含んでいる。
【００３５】
例えば、制御部１００は、ディスプレイパネル３に映像信号を供給する。制御部１００は、映像信号に基づく映像に対応して、ファン４ａ、５ａの送風量を制御する。送風量を制御する制御データは、制御部１００に予め記憶されているか、または、制御部１００に予め記憶された制御式などに基づいて生成される。
例えば、映像が野外風景であって、風の変化に応じて映像内に物が揺動する動画の場合に、制御部１００には、物の揺動量が増える場面では送風量を増加させ、物の揺動量が低下する場面では送風量を低減するといった、映像の変化と送風量とが同期するような制御データが用いられてもよい。
例えば、映像が海岸の景色など、揺れるものがなくても風が吹いている考えられる場面を表示する場合には、映像と関係なく送風量が変化されてもよい。さらに、風の揺らぎを有する映像の場合に、映像と同期させることなく、人工的な揺らぎを有する送風を行う制御データが用いられてもよい。
制御データは、ファン４ａ、５ａの送風量をそれぞれ独立に変更するデータであってもよい。この場合、ファン４ａ、５ａの送風量の相違により、Ｘ方向における空気流Ｗの吹き出し中心が移動するため、変化に富んだ送風が可能である。擬似窓構造１には、開口部Ｏの前を通る人の位置、身長などを検知する人体検知センサ（図示略）がさらに設けられていてもよい。このような構成によれば、制御部１００は、人体検知センサの出力に応じて送風を制御することが可能である。例えば、人体検知センサによって、人が近づいたときに送風が行われたり、送風強度が変更されたりしてもよい。例えば、人体検知センサによって検知される人の動きに合わせて空気流Ｗの吹き出し中心が変更されてもよい。
例えば、制御部１００は、人体検知センサによって、身長を検知可能になってり場合に、ファン４ａ、５ａの送風量を制御して、空気流Ｗの吹き出し中心を人が空気流Ｗを知覚しやすい部位，例えば、顔、首等の上半身などに合わせてもよい。この場合、背が低い大人であっても、背が低い子供や老人であっても、空気流Ｗを感じやすくなる。
例えば、後述する他の実施形態のように、空気流Ｗに香り付けがなされる場合には、空気流Ｗの吹き出し中心を人の顔に合わせることがより好ましい。
【００３６】
ディスプレイパネル３がスピーカを備える場合には、制御部１００はスピーカに音声信号を供給してもよい。音声信号は、映像と関連した音声に対応する信号が用いられることがより好ましい。例えば、映像が森林、竹藪などの風景の場合、生物の鳴き声、葉のさざめきなどの音声データが用いられてもよい。例えば、映像が川辺などの風景の場合、水鳥の羽ばたき、川のせせらぎなどの音声信号が用いられてもよい。
【００３７】
制御部１００の装置構成は、上述の記憶装置または再生装置を含む適宜のハードウェアと、ＣＰＵ、メモリ、入出力インターフェース、外部記憶装置などからなるコンピュータと、を備える。制御部１００では、コンピュータによって上記のような種々の制御信号を生成する制御プログラムが実行される。
【００３８】
擬似窓構造１の作用について説明する。
擬似窓構造１において、制御部１００の制御が開始されると、少なくとも制御部１００が供給する映像信号によって、ディスプレイパネル３に映像が表示される。
ディスプレイパネル３は、縁表面２ｃと対向する周縁表示部Ｄｅを有するため、開口部Ｏの前から斜め方向に見ても映像が途切れない。このため、開口部Ｏの前にいる人に、開口部Ｏから見えない領域にもさらに映像に拡がっているような印象を与えることができる。
ディスプレイパネル３は、壁体２の背面からＬｗだけ離間しているため、開口部Ｏよりも奥側に映像が表示される。この結果、開口部Ｏよりも前方の位置から開口部Ｏ越しに見えることで、平面映像であっても映像に奥行きが感じられる。
【００３９】
これと並行して、制御部１００に記憶された制御データに基づいて、ファン４ａ、５ａの送風量が制御される。
ファン４ａが回転すると、ダクト４ｂの内部においてＸ方向への空気の流れが形成される。ダクト４ｂ内の圧力が高まることで、ダクト４ｂ内の空気流は整風部材４ｃを通して開口４ｄに吹き出す。これにより、図２に示すように、開口４ｄから下方に吹き出す空気流Ｗ４が形成される。
整風部材４ｃに、Ｘ方向に分布する適宜の流路抵抗が設定されることによって、Ｘ方向における空気流Ｗ４の吹き出し量を均すことができる。これにより、空気流Ｗ４は、開口４ｄの一部に偏ることなく、開口４ｄの全体から吹き出す。
【００４０】
Ｘ方向の中間部の開口４ｄから吹き出した空気流Ｗ４は、縁表面２ｃと周縁表示部Ｄｅとの間の隙間を通して、下方に流れる。縁表面２ｃと周縁表示部Ｄｅとの間の隙間は、Ｌｗ×Ｌ２ｂの矩形状断面を有する送風路を形成している。空気流Ｗ４は、この隙間内を流れることにより整流されて、層流化が進む。
空気流Ｗ４の層流化を促進し、空気流Ｗ４の流速を上げるには、送風路の断面積を低減し、送風路の長さを長くすることがより好ましい。送風路の長さは、例えば、開口４ｄから横方向内面２ｂまでの縁表面２ｃのＹ方向の長さＬ２ｃである。本実施形態では、Ｌ２ｃは、Ｌｅｙと略等しい。
【００４１】
空気流Ｗ４が上側の横方向内面２ｂに達すると、流路断面積が拡大するため、空気流Ｗ４の流れが変化する。例えば、空気流Ｗ４の一部は、横方向内面２ｂの方に回り込んで、開口部Ｏから正面側に流れる。その他の空気流Ｗ４は、開口部Ｏに向かって拡散しつつ、中心表示部Ｄｃの中心部に進む。
【００４２】
これに対して、開口４ｄのＸ方向における両端部から吹き出した空気流Ｗ４は、Ｘ方向において開口４ｄよりも外側に流れる。しかし、空気流Ｗ４の流路はカバー部材６、７によってＸ方向に塞がれているため、Ｙ方向に延びる縁表面２ｃと周縁表示部Ｄｅとの隙間を経由して、開口部Ｏに向かう。カバー部材６、７によってＸ方向への空気流Ｗ４の漏れが防止される。
【００４３】
同様にして、ファン５ａが回転すると、送風装置５から、開口５ｄから上方に向かう空気流Ｗ５が吹き出す。ファン５ａの送風量がファン４ａの送風量と同等の場合、空気流Ｗ５の流れ方は、開口部ＯにおけるＹ方向の中心を通る水平な対称面に関して略対称である。
この場合、空気流Ｗ４、Ｗ５は、対称面で互いに衝突するため、空気流Ｗ４、Ｗ５の流れは、開口部Ｏを通して正面側に向かう。
このようにして、空気流Ｗ４、Ｗ５は、開口部Ｏから正面側に向かって全体的に吹き出す空気流Ｗを形成する。このとき、開口部Ｏは、縦方向内面２ａおよび横方向内面２ｂで囲まれたＬ２ａ×Ｌ２ｂの矩形断面を有する長さＬｈの流路を形成している。
開口部Ｏの断面面積は開口４ｄ、５ｄの各断面積よりも大きいので、空気流Ｗの流速は、開口４ｄ、５ｄにおける空気流Ｗ４，Ｗ５の流速に比べて低下する。
空気流Ｗは、開口部ＯにおけるＹ方向の中心部では、上述のように空気流Ｗ４、Ｗ５の衝突によって略正面に向って流れる。
これに対して、開口部Ｏの内縁部の近くの空気流Ｗは、横方向内面２ｂに沿って流れる。このため、Ｙ方向の開口幅に相当するＬ２ａに応じて、長さＬｈをある程度長くすることによって、空気流Ｗの流れ方向を略正面に向けやすくなる。例えば、Ｌｈが短すぎると、横方向内面２ｂの近くを流れる空気流Ｗが側方に拡散してしまうため、開口部Ｏの正面側の風量が低下してしまう。
例えば、Ｌｈは、Ｌ２ａの２分の１倍から１５分の１倍にすることがより好ましい。
ＬｈがＬ２ａの１５分の１倍未満であると、開口部Ｏの中心から流れる空気流Ｗの風量に比べて、正面に向かう空気流Ｗの風量が少なすぎるおそれがある。この場合、空気流Ｗは正面以外の方向に分散してしまい、十分な風を正面で感じさせることが難しくなるおそれがある。
ＬｈがＬ２ａの２分の１倍を超えると、開口部Ｏの奥行きが大きくなりすぎるため、窓の形状として不自然さが感じられてしまう。さらに、壁体２が厚くなりすぎてしまう。
【００４４】
空気流Ｗの風量は、制御部１００からの制御データによって、ファン４ａ、５ａの送風量が変化されることによって変化する。例えば、制御部１００は、表示された映像の種類に応じた制御データに基づいて、ファン４ａ、５ａの送風量を制御する。
このようにして、開口部Ｏからは、ディスプレイパネル３に表示された映像に応じて、空気流Ｗが吹き出す。空気流Ｗの風量が動的に変化することによって、映像に示される環境から風が吹き込んだと感じられるため、臨場感等の効果が付与される。例えば、映像が野外風景の場合、擬似窓構造１の前にいる人に、あたかも擬似窓構造１が野外に向かって開放されているかのような擬似感覚を与えることできる。
【００４５】
以上、説明したように、本実施形態の擬似窓構造１によれば、ディスプレイパネル３に映像が表示され、開口部Ｏから空気流Ｗが吹き出されるので、閉鎖的空間に設けられていても開放的な空間に連通する窓と同様の開放感が得られる。
【００４６】
［第２の実施形態］
本発明の第２の実施形態の擬似窓構造について説明する。
図５は、本発明の第２の実施形態の擬似窓構造の一例を示す模式的な正面図である。図６は、図５におけるＢ−Ｂ断面図である。
【００４７】
図５、６に示すように、本実施形態の擬似窓構造１Ａは、第１の実施形態の擬似窓構造１において、壁体２に代えて壁体２Ａを備え、さらに窓枠部８が追加されている。
以下、第１の実施形態と異なる点を中心に説明する。
【００４８】
壁体２Ａは、厚さがＬ２Ａ（ただし、Ｌ２Ａ＜Ｌｈ、図６参照）とされた以外は、第１の実施形態における壁体２と同様に構成される。このため、壁体２Ａの開口部Ｏは、厚さ方向の長さがＬ２Ａとされた縦方向内面２ａ、横方向内面２ｂによって形成されている。
【００４９】
窓枠部８は、壁体２Ａの開口部Ｏの内縁に沿う矩形状の枠体である。窓枠部８は、壁体２Ａの正面から突出するように、壁体２Ａに設けられている。図６に示すように、窓枠部８の突出量は、（Ｌｈ−Ｌ２Ａ）である。
図５に示すように、窓枠部８の内周面８ａ、８ｂは、それぞれ縦方向内面２ａ、横方向内面２ｂに整列している。このため、壁体２Ａの正面側には、窓枠部８の内周面８ａ、８ｂによって開口部Ｏ８が形成されている。開口部Ｏ８の開口形状は開口部Ｏと一致している。
【００５０】
図５、６に模式的に示す例では、窓枠部８の各外周部は、それぞれ内周面８ａまたは内周面８ｂと平行な平面からなる。しかし、窓枠部８の外周部の形状はこれには限定されない。例えば、窓枠部８の外周部は、突出方向の先端から壁体２Ａの正面に向かってより外周側に傾斜する傾斜面で構成されてもよい。例えば、窓枠部８の外周部には、装飾窓、額縁などに施されるような適宜の立体装飾が施されていてもよい。
【００５１】
このような構成により、擬似窓構造１Ａでは、壁体２Ａの厚さは、第１の実施形態における壁体２の厚さＬｈより薄い。しかし、空気流Ｗの流路となる開口部Ｏ、Ｏ８の合計長さは、第１の実施形態と同様、Ｌｈになっている。このため、空気流Ｗの流路形状は、擬似窓構造１における流路形状と一致している。
したがって、擬似窓構造１Ａでは第１の実施形態と同様の映像表示および空気流Ｗの送風が行えるので、擬似窓構造１Ａは、第１の実施形態の擬似窓構造１と同様な作用を備える。
【００５２】
本実施形態の擬似窓構造１Ａによれば、第１の実施形態と同様、閉鎖的空間に設けられていても開放的な空間に連通する窓と同様の開放感が得られる。
特に、本実施形態によれば、壁体２Ａが薄い場合でも、窓枠部８の奥行き寸法を調整することによって、空気流Ｗの風量分布が良好な流路を形成することができる。
さらに、窓枠部８の外周部の形状を適宜形状に形成することで、単に壁体２Ａに開口部Ｏが形成されている場合に比べて、より装飾性に富んだ擬似窓を形成することができる。
【００５３】
［第３の実施形態］
本発明の第３の実施形態の擬似窓構造について説明する。
図７は、本発明の第３の実施形態の擬似窓構造の主要部の構成例を示す模式的な斜視図である。
【００５４】
図７に示すように、本実施形態の擬似窓構造１Ｂは、第１の実施形態の擬似窓構造１において、送風装置４、５に代えて、送風装置４Ｂ、５Ｂを備える。
以下、第１の実施形態と異なる点を中心に説明する。
【００５５】
送風装置４Ｂは、第１の実施形態における送風装置４のファン４ａに代えて、ファン９を備える。本実施形態におけるダクト４ｂには、第１の実施形態におけるファン４ａとの接続部（Ｘ方向の端部）に、吸気口４ｅが設けられている。
送風装置４Ｂは、第１の実施形態における送風装置４と同様、横方向内面２ｂに平行な姿勢で、ディスプレイパネル３の上端部に沿って配置されている。本実施形態におけるダクト４ｂの壁体２およびディスプレイパネル３に対する位置関係は、第１の実施形態と同様である。
【００５６】
ファン９としては、クロスフローファンが用いられる。ファン９は、少なくとも整風部材４ｃの長さと同程度の長さの送風域を有する。ファン９は、ダクト４ｂの内部において整風部材４ｃの上方にて整風部材４ｃと対向する位置に配置されている。
図４に示すように、ファン９は、制御部１００と通信可能に接続されている。ファン９の動作は、制御部１００からの制御信号に基づいて第１の実施形態と同様に制御される。
送風装置４Ｂでは、ファン９が回転すると、ダクト４ｂに吸気口４ｅを通して周囲の空気が吸い込まれる。例えば、吸気口４ｅには、防塵フィルタなどの適宜の濾過フィルタが設けられてもよい。
【００５７】
図７に示すように、送風装置５Ｂは、送風装置４Ｂと同様、第１の実施形態における送風装置５のファン５ａに代えて、送風装置４Ｂにおけると同様のファン９を備える。本実施形態におけるダクト５ｂには、第１の実施形態におけるファン５ａとの接続部（Ｘ方向の端部）に、吸気口５ｅが設けられている。
擬似窓構造１Ｂの全体の図示は省略しているが、送風装置５Ｂは、第１の実施形態における送風装置５と同様、横方向内面２ｂに平行な姿勢で、ディスプレイパネル３の下端部に沿って配置されている。本実施形態におけるダクト５ｂの壁体２およびディスプレイパネル３に対する位置関係は、第１の実施形態と同様である。
図７における送風装置５Ｂは、擬似窓構造１Ｂにおける送風装置４Ｂの配置向きに合わせて描かれているため、擬似窓構造１ＢにおいてはＹ方向において図示と反対の向きに配置される。
【００５８】
擬似窓構造１Ｂにおいては、送風装置５Ｂにおけるファン９は、ダクト５ｂの内部において整風部材５ｃの下方（図７における上方）にて整風部材５ｃと対向する位置に配置されている。
送風装置５Ｂでは、ファン９が回転すると、ダクト５ｂに吸気口５ｅを通して周囲の空気が吸い込まれる。例えば、吸気口５ｅには、防塵フィルタなどの適宜の濾過フィルタが設けられてもよい。
【００５９】
このような構成により、擬似窓構造１Ｂは、第１の実施形態の擬似窓構造１と送風装置４Ｂ、５Ｂに使用されるファン９のみが異なる。
したがって、擬似窓構造１Ｂでは第１の実施形態と同様の映像表示および空気流Ｗの送風が行えるので、擬似窓構造１Ｂは、第１の実施形態の擬似窓構造１と同様な作用を備える。
特に、ファン９がクロスフローファンであるため、整風部材４ｃ、５ｃに向かう空気流の流量がＸ方向において均等になる。このため、整風部材４ｃ、５ｃの管路、整風板等もＸ方向において均等に設けられればよい。
このため、第１の実施形態に比べると、開口４ｄ、５ｄから吹き出す空気流Ｗ４、Ｗ５の風量をＸ方向において均等化する場合の風損が低減される。この結果、空気流Ｗ４、Ｗ５の送風量の調整範囲がより広くなるため、空気流Ｗの強弱を付けやすくなる。
ファン９が用いられることによって、Ｌ２ｂが長い開口部Ｏにおいても、Ｘ方向に均等な送風を行うことが容易となる。
さらに、一定の風量を得るためのファン９の回転数をより低減できるため、送風時の騒音の発生を低減できる。
なお、ファン９として、クロスフローファンと似た形状のラインフローファンが用いられてもよい。この場合、吸気口がＸ方向にわたって形成されることがクロスフローファンとは異なるが、クロスフローファンと同様に、Ｘ方向に延びる送風口からはＸ方向にわたって均一な送風が可能になる。
【００６０】
本実施形態の擬似窓構造１Ｂによれば、第１の実施形態と同様、閉鎖的空間に設けられていても開放的な空間に連通する窓と同様の開放感が得られる。
特に、本実施形態によれば、開口部ＯのＸ方向の幅が広くなっても、開口部Ｏから吹き出す空気流ＷのＸ方向の偏りを低減しやすい。
【００６１】
［第４の実施形態］
本発明の第４の実施形態の擬似窓構造について説明する。
図８は、本発明の第４の実施形態の擬似窓構造の一例を示す分解斜視図である。図９は、本発明の第４の実施形態の擬似窓構造における制御系の構成を示すブロック図である。
【００６２】
図８、９に示すように、本実施形態の擬似窓構造１Ｃは、第１の実施形態の擬似窓構造１において、制御部１００に代えて制御部１００Ｃ（図９参照）を備え、さらに香り蒸気発生器１０（香り供給器）を備える。
以下、第１の実施形態と異なる点を中心に説明する。
【００６３】
香り蒸気発生器１０は、空気流Ｗに香りを付けるための香り蒸気を発生させる。香り蒸気発生器１０の構成は、特に限定されない。
例えば、香り蒸気発生器１０としては、香り蒸気を発生させるための香料を含む液体または固体を加熱することによって、香り蒸気を発生させる構成が用いられてもよい。この場合、香り蒸気発生器１０は、図示略のヒータを備えている。
例えば、香り蒸気発生器１０は、揮発性または昇華性の香料が容器に収容され、容器にはシャッタまたは開閉弁などからなる開閉機構が設けられた構成が用いられてもよい。この場合、シャッタまたは開閉弁は、モータ、電磁クラッチなどの駆動源によって開閉される。この構成では、容器内の蒸気圧に応じて容器内に香り蒸気が発生する。開閉機構が開放されると香り蒸気が外部に流出して容器内の蒸気圧が下がる。これにより、容器内では、流出した分の香り蒸気が新たに発生する。
香り蒸気発生器１０は、ファン４ａの吸気口およびファン５ａの吸気口にそれぞれ配置されている。
【００６４】
香り蒸気発生器１０が発生させる香り蒸気は、１種類でもよいし、複数種類でもよい。
香り蒸気の種類は、ディスプレイパネル３で表示される映像に相応しい香りであれば特に限定されない。例えば、香り蒸気は、映像に登場する物から発する香りと同じであるか、または類似する香りを有していてもよい。例えば、香り蒸気は、映像に登場する物と直接的な関係がなくても、映像のイメージに相応しい適宜の香りを有していてもよい。
図９に示すように、香り蒸気発生器１０は、制御部１００Ｃと通信可能に接続されている。香り蒸気発生器１０の動作は、制御部１００Ｃからの制御信号に基づいて制御される。
【００６５】
制御部１００Ｃは、ファン４ａ、５ａ、およびディスプレイパネル３の他に、香り蒸気発生器１０と通信可能に接続されている。制御部１００Ｃは、第１の実施形態における制御部１００と同様の制御を行う他、香り蒸気発生器１０の動作も制御する。
映像データに応じて香り蒸気を発生させる制御データは、予め記憶されているか、または、制御部１００Ｃに予め記憶された制御式などに基づいて生成される。
制御部１００Ｃから香り蒸気発生器１０に香り蒸気を発生させる制御信号が送出されると、香り蒸気発生器１０が香り蒸気を発生させる。例えば、香り蒸気発生器１０がヒータによる加熱によって香り蒸気を発生させる場合には、ヒータによる加熱が行われる。例えば、香り蒸気発生器１０がシャッタまたは開閉弁を備える場合には、シャッタまたは開閉弁が開放される。
香り蒸気は、ファン４ａ、５ａの各吸気口から吸い込まれ、空気流Ｗ４、Ｗ５と混合される。この結果、空気流Ｗにも香り蒸気が混じるため、空気流Ｗに香りが付けられる。
【００６６】
このような構成により、擬似窓構造１Ｃは、第１の実施形態の擬似窓構造１と同様に映像表示および空気流Ｗの送風を行うことができる。
さらに擬似窓構造１Ｃによれば、制御部１００Ｃの制御信号に応じて、空気流Ｗに香り蒸気発生器１０が発生する香り蒸気が混合される。この結果、空気流Ｗに当たる人が、香り蒸気の香りを知覚できる。
【００６７】
本実施形態の擬似窓構造１Ｃによれば、第１の実施形態と同様、閉鎖的空間に設けられていても開放的な空間に連通する窓と同様の開放感が得られる。
特に、本実施形態によれば、空気流Ｗに香りを混ぜることができるので、臨場感をさらに向上することができる。本実施形態によれば、空気流Ｗは、開口部Ｏから全体的に吹き出す。このため、映像中の特定位置に配置された特定物が発する強い香りよりも、例えば、映像中に現れる草木類が醸す香りのように、映像が示す環境中に漂っているような香りが用いられるとさらに効果的である。
【００６８】
［第５の実施形態］
本発明の第５の実施形態の擬似窓構造について説明する。
図１０は、本発明の第５の実施形態の擬似窓構造の一例を示す分解斜視図である。
【００６９】
図１０に示すように、本実施形態の擬似窓構造１Ｄは、第１の実施形態の擬似窓構造１において、壁体２、送風装置４、５、カバー部材６、７に代えて、壁体２０、送風装置１１、１２、吸気装置１３、１４を備える。擬似窓構造１Ｄは、第４の実施形態と同様の香り蒸気発生器１０も備える。図９に示すように、さらに擬似窓構造１Ｄは、擬似窓構造１における制御部１００に代えて、第４の実施形態と同様の制御部１００Ｃを備える。
以下、第１および第４の実施形態と異なる点を中心に説明する。
【００７０】
図１０に示すように、壁体２０は、第１の実施形態における壁体２と同様の厚さを有している。ただし、壁体２０には、開口部Ｏの代わりに開口部Ｐが厚さ方向に貫通している。
開口部Ｐは、Ｘ方向において互いに対向しＹ方向に延びる縦方向内面２０ａと、Ｙ方向において互いに対向しＸ方向に延びる横方向内面２０ｂと、によって形成されている。縦方向内面２０ａの長さは、第１の実施形態における横方向内面２ｂと同様のＬ２ｂである。横方向内面２０ｂの長さは、第１の実施形態における縦方向内面２ａと同様のＬ２ａである。
このため、開口部Ｐは、厚さ方向から見て開口部Ｏが９０°回転されたのと同様の矩形開口である。開口部Ｐの開口断面は、Ｙ方向に長い矩形である。
壁体２０の背面において、開口部Ｐの周囲には縁表面２０ｃが形成されている。縁表面２０ｃは、厚さ方向から見て第１の実施形態における縁表面２ｃが９０°回転されたのと同様の範囲に形成されている。
【００７１】
本実施形態におけるディスプレイパネル３は、開口部Ｐの形状に対応して、第１の実施形態におけるディスプレイパネル３が厚さ方向から見て９０°回転されたのと同様の姿勢で配置される。縁表面２０ｃと表示画面３ａとの距離は、第１の実施形態における縁表面２ｃと表示画面３ａの距離と同様である。本実施形態における表示画面３ａの中心と、開口部Ｐの中心とは略一致している。
表示画面３ａは、第１の実施形態と同様に、中心表示部Ｄｃと周縁表示部Ｄｅとに分けられる。
【００７２】
送風装置１１は、縦方向内面２０ａに平行な姿勢で、ディスプレイパネル３のＸ方向の端部（図１０における右側の端部）に沿って配置されている。送風装置１１におけるダクト４ｂの壁体２０側の側面は、壁体２０の背面に当接している。このため、送風装置１１は、開口部Ｐの図示右側の縦方向内面２０ａよりも図示左側に位置する縁表面２０ｃと周縁表示部Ｄｅとの間の隙間の右にまたがって配置されている。
送風装置１１は、送風装置４と同様、ダクト４ｂと、整風部材４ｃと、開口４ｄと、を備える。ただし、送風装置１１におけるダクト４ｂは、送風装置４におけるよりも長い。送風装置１１における開口４ｄは、Ｘ方向において図示右側に向いている以外は、送風装置４における開口４ｄと同様である。
【００７３】
送風装置１１は、送風装置４のファン４ａに代えてファン１１ａを備える。
ファン１１ａは、吸気方向と送風方向とが、互いに直交するファンが用いられている。ファン１１ａの送風口は、送風装置１１の図示上側の端部に接続されている。破線矢印で示すように、ファン１１ａは、Ｘ方向において図示左側から吸気し、Ｙ方向において図示下方に向かって送風する。
このため、送風装置１１は、縁表面２０ｃと周縁表示部Ｄｅとの間の隙間を通して、Ｘ方向における図示左側に空気流Ｗ１１を送風可能である。
【００７４】
送風装置１２は、送風装置１１のダクト４ｂ、整風部材４ｃ、開口４ｄ、およびファン１１ａに対応して、ダクト５ｂ、整風部材５ｃ、開口５ｄ、およびファン１２ａを備える。
整風部材５ｃおよび開口５ｄは、第１の実施形態における整風部材５ｃおよび開口５ｄと同様に構成される。送風装置１２のダクト５ｂの長さは、送風装置１１のダクト４ｂと同様である。
送風装置１２における整風部材５ｃ、開口５ｄ、およびファン１２ａは、ダクト４ｂ、整風部材４ｃ、開口４ｄ、およびファン１１ａを、開口部Ｐの中心軸線を中心として１８０°回転移動したのと同様の位置に配置されている。
このため、送風装置１１、１２の開口４ｄ、５ｄは、それぞれＹ方向に延び、Ｘ方向において互いに対向している。本実施形態は、送風装置１１、１２の各送風口（開口４ｄ、５ｄ）が延びる方向（第２方向）がＹ方向であり、各送風口の対向方向（第１方向）がＸ方向である場合の例になっている。
【００７５】
ファン１２ａは、ファン１１ａと同様、吸気方向と送風方向とが、互いに直交するファンが用いられている。ファン１２ａの送風口は、送風装置１２の図示下側の端部に接続されている。破線矢印で示すように、ファン１２ａは、Ｘ方向において図示右側から吸気し、Ｙ方向において図示上方に向かって送風する。
このため、送風装置１２は、縁表面２０ｃと周縁表示部Ｄｅとの間の隙間を通して、Ｘ方向における図示右側に空気流Ｗ１２を送風可能である。
送風装置１２における吸気口と送風口との間には、香り蒸気発生器１０が連結されている。これにより、空気流Ｗ１２に香り蒸気が混合可能である。
【００７６】
吸気装置１３は、ダクト１３ｂおよびフィルタ１３ｃを備える。
ダクト１３ｂは、図示下方に開口１３ｄ（吸気口）を有する略直方体の箱状に形成されている。開口１３ｄは、Ｘ方向に延びており、平面視の形状はＸ方向に細長い帯状である。ダクト１３ｂは、送風装置１１、１２の間で、図示上方において縁表面２０ｃと周縁表示部Ｄｅとの間の隙間をＹ方向から塞いでいる。
ダクト１３ｂのＸ方向の端部（図示右側の端部）には、ファン１１ａの吸気口が接続されている。このため、ファン１１ａが回転すると、ダクト１３ｂ内には、開口１３ｄからファン１１ａの吸気口に向かう空気流Ａ１３が形成される。
フィルタ１３ｃは、開口１３ｄに面して設けられている。フィルタ１３ｃは、空気流Ａ１３を濾過する。例えば、フィルタ１３ｃは、空気流Ａ１３中の埃などを除去する防塵フィルタでもよい。例えば、フィルタ１３ｃは、空気流Ａ１３中の臭い成分を除去する脱臭フィルタでもよい。フィルタ１３ｃとしては、防塵と脱臭とを兼ねるフィルタが用いられてもよい。
【００７７】
吸気装置１４は、吸気装置１３のダクト１３ｂおよびフィルタ１３ｃに対応して、ダクト１４ｂおよびフィルタ１４ｃを備える。
ダクト１４は、図示上方に開口１４ｄ（吸気口）を有する略直方体の箱状に形成されている。開口１４ｄは、Ｘ方向に延びており、平面視の形状はＸ方向に細長い帯状である。ダクト１４ｂは、送風装置１１、１２の間で、図示下方において縁表面２０ｃと周縁表示部Ｄｅとの間の隙間をＹ方向から塞いでいる。
ダクト１４ｂのＸ方向の端部（図示左側の端部）には、ファン１２ａの吸気口が接続されている。このため、ファン１２ａが回転すると、ダクト１４ｂ内には、開口１４ｄからファン１２ａの吸気口に向かう空気流Ａ１４が形成される。
フィルタ１４ｃは、フィルタ１３ｃと同様の部材からなる。ただし、フィルタ１４ｃは、開口１４ｄに面して設けられている。このため、フィルタ１４ｃは、空気流Ａ１４を濾過する。
【００７８】
本実施形態における制御部１００Ｃは、ファン４ａ、５ａに代えて、ファン１１ａ、１２ａと通信可能に接続されている以外は、第４の実施形態における制御部１００Ｃと同様である。
【００７９】
擬似窓構造１Ｄでは、送風装置１１、１２の対向方向がＸ方向である。しかし、第１の実施形態と同様にして、開口部Ｐから空気流Ｗを吹き出させることができる。さらに、擬似窓構造１Ｄによれば、第４の実施形態と同様にして、香り蒸気発生器１０で発生する香り蒸気を空気流Ｗに混合させることができる。
本実施形態の擬似窓構造１Ｄによれば、第１の実施形態と同様、閉鎖的空間に設けられていても開放的な空間に連通する窓と同様の開放感が得られる。
【００８０】
特に、擬似窓構造１Ｄによれば、第１の実施形態におけるカバー部材６、７に代えて、吸気流路を形成する吸気装置１３、１４を備える。このため、ファン１１ａ、１２ａが回転すると、各横方向内面２０ｂの近くで、各横方向内面２０ｂに沿って壁体２０の正面側から吸気される。これにより、壁体２０の正面側から開口１３ｄ、１４ｄに向かう空気流Ａ１３、Ａ１４が形成される。
例えば、ファン１１ａ、１２ａが、壁体２０と、壁体２０の背面側の他の壁体等との間の狭いスペースに密閉状態で配置される場合、吸気装置１３、１４を有しないとファン１１ａ、１２ａの配置スペースが負圧になりやすい。これにより、ファン１１ａ、１２ａの送風能力が低下したり、ファン１１ａ、１２ａの回転数が増大したりするおそれがある。送風能力が低下すると、所望の空気流Ｗの送風量が得られなくなる。回転数が増大すると騒音が大きくなり、空気流Ｗが人工的な送風であることが発覚しやすくなる。
しかし、本実施形態では、空気流Ｗを形成する空気は、壁体２０の正面側から取り込まれる空気流Ａ１３、Ａ１４であるため、壁体２０の背面側が狭いスペースであっても負圧が形成されない。この結果、送風能力の低下や騒音の発生が抑制される。
擬似窓構造１Ｄによれば、壁体２０の背面側の省スペース、密閉化が可能である。
特に壁体２０の背面側では、ディスプレイパネル３、送風装置１１、１２、および吸気装置１３、１４の外側では、空気流が循環しないので、壁体２０の背面側が清浄でない環境でも擬似窓構造１Ｄを構築できる。
【００８１】
さらに、擬似窓構造１Ｄでは、開口部Ｐが縦長である。開口部Ｐが縦長であると、床面からの高さの低い位置にも開口部Ｐが形成される。このため、背が低い大人であっても、背が低い子供や老人であっても、開口部Ｐを擬似窓として享受することができる。
縦長の開口部Ｐでは、上下方向（Ｙ方向）に対向するように各送風装置を配置すると、上方からの空気流と下方からの空気流とは互いに衝突するまでに拡散されやすい。このため、正面に吹き出す空気流に風量のムラが生じ易い。
しかし、擬似窓構造１Ｄによれば、送風装置１１、１２の各送風口を開口部Ｐの短手となるＸ方向に対向させている。このため、送風装置１１、１２をＹ方向に対向させる場合に比べて、空気流Ｗの風量のムラを抑制できる。
【００８２】
［第６の実施形態］
本発明の第６の実施形態の擬似窓構造について説明する。
図１１は、本発明の第６の実施形態の擬似窓構造の一例を示す分解斜視図である。図１２は、本発明の第６の実施形態の擬似窓構造の一例を示す水平方向の断面図である。
【００８３】
図１１に示すように、本実施形態の擬似窓構造１Ｅは、第１の実施形態の擬似窓構造１において、送風装置４、５、カバー部材６、７に代えて、送風装置４Ｅ、５Ｅ、背面カバー１５（筐体）を備える。擬似窓構造１Ｅは、さらに第４の実施形態と同様の香り蒸気発生器１０をさらに備える。図９に示すように、さらに擬似窓構造１Ｅは、擬似窓構造１における制御部１００に代えて、第４の実施形態と同様の制御部１００Ｃを備える。
以下、第１および第４の実施形態と異なる点を中心に説明する。
【００８４】
図１１に示すように、送風装置４Ｅの構成は、長さが短縮された以外は第３の実施形態における送風装置４Ｂと同様である。
送風装置４Ｅは、縦方向内面２ａに平行な姿勢で、ディスプレイパネル３のＸ方向における図示右端部に沿って配置されている。送風装置４Ｅにおける吸気口４ｅ、開口４ｄは、それぞれ図示上方、左方に向けられている。送風装置４Ｅと開口部Ｏとの間には、ディスプレイパネル３の周縁表示部Ｄｅ（図示略）に対向する縁表面２ｃが形成されている。
送風装置４Ｅは、ファン９が回転すると、開口４ｄからＸ方向において図示左側に空気流Ｗ４Ｅの送風が可能である。
【００８５】
送風装置５Ｅの構成は、長さが短縮された以外は第３の実施形態における送風装置５Ｂと同様である。
送風装置５Ｅは、縦方向内面２ａに平行な姿勢で、ディスプレイパネル３のＸ方向における図示左端部に沿って配置されている。送風装置５Ｅにおける吸気口５ｅ、開口５ｄは、それぞれ図示下方、右方に向けられている。送風装置５Ｅと開口部Ｏとの間には、ディスプレイパネル３の周縁表示部Ｄｅ（図示略）に対向する縁表面２ｃ（図示略）が形成されている。
送風装置５Ｅの吸気口５ｅの一部には、送気管１０ａが連通している。送気管１０ａは、香り蒸気発生器１０と連通しており、香り蒸気発生器１０で発生した香り蒸気を吸気口５ｅに供給可能である。
送風装置５Ｅは、ファン９が回転すると、開口５ｄからＸ方向において図示右側に空気流Ｗ５Ｅの送風が可能である。香り蒸気発生器１０が香り蒸気を発生すると、空気流Ｗ５Ｅには、香り蒸気が混合される。
【００８６】
本実施形態の擬似窓構造１Ｅは、開口部Ｏの短手方向がＹ方向である場合に、送風装置４Ｅ、５Ｅが、第５の実施形態と同様、互いにＸ方向に対向する例になっている。
【００８７】
背面カバー１５は、壁体２に向かって開口する箱状である。背面カバー１５は、壁体２の背面との間で、送風装置４Ｅ、５Ｅおよびディスプレイパネル３を覆うことができる大きさを有する。図１２に示すように、背面カバー１５の開口部は、壁体２の背面に固定されている。香り蒸気発生器１０は、背面カバー１５の内部に配置されてもよいし、外部に配置されてもよい。図１１に示す例では、香り蒸気発生器１０は、背面カバー１５の外部に配置されている。このため、背面カバー１５を取り外すことなく、香り蒸気の発生源を交換および補充することが可能である。
【００８８】
本実施形態における制御部１００Ｃは、ファン４ａ、５ａに代えて、各ファン９と通信可能に接続されている以外は、第４の実施形態における制御部１００Ｃと同様である。
【００８９】
擬似窓構造１Ｅでは、第５の実施形態のような吸気装置１３、１４は設けられていない。
しかし図１２に示すように、送風装置４Ｅのファン９が回転し、空気流Ｗ４Ｅ（図１１参照）が開口４ｄから吹き出されると、背面カバー１５の内部が負圧になるので、壁体２の正面側から横方向内面２ｂに沿って空気流Ａｏが吸気される。空気流Ａｏは、背面カバー１５の内部で移動可能であるため、例えば、送風装置４Ｅの吸気口４ｅから送風装置４Ｅ内に吸気される。給気された空気流Ａｏは、ファン９によって整風部材４ｃを通過し、開口４ｄからＸ方向に送風される。
図１１に示すように、同様にして、送風装置５Ｅは吸気口５ｅから空気流Ａｏを吸気し、開口５ｄから空気流Ｗ５ＥをＸ方向に送風する。空気流Ｗ４Ｅ、Ｗ５Ｅは、第１の実施形態と同様にして、開口部Ｏから壁体２の正面側に吹き出す空気流Ｗを形成する。
さらに、擬似窓構造１Ｅによれば、香り蒸気発生器１０で発生する香り蒸気が、送気管１０ａと吸気口５ｅを通して、空気流Ｗ５Ｅに混合されるので、香り蒸気を空気流Ｗに混合させることができる。
本実施形態の擬似窓構造１Ｅによれば、第１の実施形態と同様、閉鎖的空間に設けられていても開放的な空間に連通する窓と同様の開放感が得られる。
【００９０】
特に、擬似窓構造１Ｅによれば、送風装置４Ｅ、５Ｅが背面カバー１５で覆われているため、空気流Ｗを形成する際に、簡素な構成で外部から空気流Ａｏを吸気することができる。このため、第５の実施形態と同様、送風装置４Ｅ、５Ｅの周囲が負圧になることを抑制できる。
さらに、本実施形態では、第５の実施形態と同様、壁体２の背面側では、背面カバー１５の外部に空気流が循環しないので、壁体２の背面側が清浄でない環境でも、擬似窓構造１Ｅを構築できる。
さらに、開口部Ｏが背面側から背面カバー１５で覆われているので、壁体２の背面側の騒音を遮断しやすい。ディスプレイパネル３がスピーカを有する場合には、背面カバー１５を音声の反射板として用いることも可能である。この場合、音声が背面側に拡散しにくいので、開口部Ｏを通して効率よく音声が正面側に伝播する。
【００９１】
［第７の実施形態］
本発明の第７の実施形態の擬似窓構造について説明する。
図１３は、本発明の第７の実施形態の擬似窓構造の一例を示す模式的な正面図である。図１４は、本発明の第７の実施形態の擬似窓構造における制御系の構成を示すブロック図である。図１５は、本発明の第７の実施形態の擬似窓構造の主要部の構成を示す模式的な斜視図である。図１６は、本発明の第７の実施形態の擬似窓構造における香り供給器の構成例を示す模式的な斜視図である。
【００９２】
図１３に示すように、本実施形態の擬似窓構造１Ｆは、第１の実施形態の擬似窓構造１において、送風装置４に代えて、送風装置４Ｆを備える。図１４に示すように、さらに擬似窓構造１Ｆは、擬似窓構造１における制御部１００に代えて、制御部１００Ｆを備える。
以下、第１の実施形態と異なる点を中心に説明する。
【００９３】
図１５に示すように、送風装置４Ｆは、ファン４ａ、容積可変ダクト４ｆ（空気収容部材）、送風ダクト部４ｇ、香り蒸気発生器１６（香り供給器）、および押出送風器１７（押圧器）を備える。
【００９４】
本実施形態におけるファン４ａ（空気供給器）は、第１の実施形態と同様の構成を有する。ただし、図１４に示すように、本実施形態におけるファン４ａは、制御部１００Ｆと通信可能に接続されている。ファン４ａの動作は、制御部１００Ｆからの制御信号に基づいて制御される。
図１５に示すように、ファン４ａは、吸気口から外部の空気を吸気し、送風口から容積可変ダクト４ｆ内に空気流ｗ１を送風する。
【００９５】
容積可変ダクト４ｆは、ファン４ａから送風された空気流ｗ１を収容する容積可変な容器である。容積可変ダクト４ｆは、ファン４ａの送風口に接続された吸気開口と、後述する送風ダクト部４ｇに接続された送気開口と、の間に空気流ｗ１を貯留することができる。本実施形態におけるファン４ａは、容積可変ダクト４ｆに空気を供給する空気供給器を構成している。
容積可変ダクト４ｆの構成は、後述する香り蒸気発生器１６の体積よりも大きな可変容積を有していれば特に限定されない。例えば、容積可変ダクト４ｆは、例えば、軟質フィルム、エラストマーなどからなる袋状の成形体が用いられてもよい。ただし、容積可変ダクト４ｆにおいては全体が軟質の材料で形成されていなくてもよい。例えば、容積可変ダクト４ｆは、容積一定の硬質部と、容積可変な軟質部とが組み合わされてもよい。例えば、軟質部は蛇腹構造などを有していてもよい。
以下では、図１５に示すように、容積可変ダクト４ｆがＸ方向に長い軟質フィルム製のチューブからなる場合の例で説明する。
【００９６】
図１５に示す容積可変ダクト４ｆは、第１の実施形態におけるダクト４ｂと略同じ長さを有し、Ｘ方向に延びる有底チューブである。容積可変ダクト４ｆの容積が最大の状態では、容積可変ダクト４ｆは両端が丸められた円柱状である。
容積可変ダクト４ｆの吸気開口はＸ方向の端部（Ｘ方向において図示左側の端部）に形成されており、ファン４ａの送風口に連結されている。容積可変ダクト４ｆにおいて吸気開口と反対側の端部は閉じられている。
容積可変ダクト４ｆの送気開口はＹ方向において図示下方の側面に形成されており、後述する送風ダクト部４ｇに接続されている。
【００９７】
送風ダクト部４ｇは、Ｘ方向に細長く平面視矩形状の開口部４ｈ（送風口）がＹ方向に貫通する矩形状の枠体を備える。送風ダクト部４ｇの枠体の図示上端部は容積可変ダクト４ｆの送気開口に接続されている。これにより、開口部４ｈは容積可変ダクト４ｆの内部に連通している。
開口部４ｈの開口形状は、第１の実施形態におけるダクト４ｂの開口４ｄと同様である。図示は省略するが、開口部４ｈの内部には、第１の実施形態と同様の整風部材４ｃが配置されている。
送風ダクト部４ｇは、第１の実施形態におけるダクト４ｂと同様にして、壁体２の背面とディスプレイパネル３との間に配置されている。
【００９８】
香り蒸気発生器１６は、容積可変ダクト４ｆの内部において、Ｙ方向における図示上側に配置されている。香り蒸気発生器１６は、複数の香り蒸気を独立して発生できるように構成されている。
図１５に示す例では、香り蒸気発生器１６は、３種類の香り蒸気に対応して、第１発生器１６Ａ、第２発生器１６Ｂ、および第３発生器１６Ｃを備える。
図１５では、第１発生器１６Ａ、第２発生器１６Ｂ、および第３発生器１６Ｃは、一例として、壁体２の厚さ方向において並列に配置されている。しかし、第１発生器１６Ａ、第２発生器１６Ｂ、および第３発生器１６Ｃの配置はこれには限定されない。
第１発生器１６Ａ、第２発生器１６Ｂ、および第３発生器１６Ｃの各構成は、香り蒸気の発生源以外は同様なので、以下では、第１発生器１６Ａの例で説明する。
【００９９】
図１６に香り蒸気発生器１６の詳細構成の一例を示す。
第１発生器１６Ａは、図示略の筐体の内部に、吸気ファン１６ａ、第１圧力損失フィルタ１６ｂ、香料含浸材１８、および第２圧力損失フィルタ１６ｃを備える。例えば、吸気ファン１６ａ、第１圧力損失フィルタ１６ｂ、香料含浸材１８、および第２圧力損失フィルタ１６ｃは、Ｘ方向においてファン４ａに近い方からこの順に配置される。
吸気ファン１６ａと第１圧力損失フィルタ１６ｂとの間には、空気流ｗ１が滞留可能な第１室１６ｄが形成されている。第１圧力損失フィルタ１６ｂと第２圧力損失フィルタ１６ｃとの間には、香料含浸材１８を収容可能な第２室１６ｅが形成されている。
【０１００】
吸気ファン１６ａは、空気流ｗ１を第１室１６ｄに取り込むために用いられる。吸気ファン１６ａの種類は、小径のファンであれば特に限定されない。例えば、吸気ファン１６ａとしては軸流ファンが用いられてもよい。
第１圧力損失フィルタ１６ｂは、圧力損失を与えることにより、空気流ｗ１の透過流量、透過量を規制する部材である。第１圧力損失フィルタ１６ｂは、多数の開孔を有する多孔質材料が用いられる。
香料含浸材１８は、多孔質基材に液体香料が含浸されて構成される。液体香料としては、開口部Ｏから吹き出す空気流Ｗに付ける香り蒸気を発生できれば、特に限定されない。ただし、第１発生器１６Ａ、第２発生器１６Ｂ、および第３発生器１６Ｃに設けられる各香料含浸材１８に含まれる液体香料は互いに異なる。
本実施形態では、香料含浸材１８の基材は、Ｘ方向に細長い平面視矩形状のフェルトからなる。香料含浸材１８は、第２室１６ｅ内においてＹ方向において互いに間をあけた状態で、重なり合って配置されている。
第２圧力損失フィルタ１６ｃは、圧力損失を与えることにより、第２圧力損失フィルタ１６ｃを透過した空気流の容積可変ダクト４ｆ内への透過流量を規制する部材である。第２圧力損失フィルタ１６ｃは、第１圧力損失フィルタ１６ｂと同様、多数の開孔を有する多孔質材料や、微細な貫通孔を多数有する金属板やテフロン（登録商標）などのフッ素樹脂材料などが用いられる。ただし、第２圧力損失フィルタ１６ｃにおける圧力損失性能は、吸気ファン１６ａが停止されたときに、第２室１６ｅ内の香り蒸気が容積可変ダクト４ｆ内に過剰に放散されない大きさに設定される。具体的には、第２室１６ｅが大気圧になったときに、香り蒸気の感知可能な濃度を考慮して実質的に第２室１６ｅ内に封止される程度に設定される。
【０１０１】
図１４に示すように、香り蒸気発生器１６は、制御部１００Ｆと通信可能に接続されている。香り蒸気発生器１６の動作は、制御部１００Ｆからの制御信号に基づいて制御される。
【０１０２】
図１５に示すように、押出送風器１７は、押圧バー１７ａと、押圧バー駆動部１７ｂとを備える。
押圧バー１７ａは、容積可変ダクト４ｆを壁体２の背面との間に挟み、容積可変ダクト４ｆを壁体２の背面に向かって押圧する棒状部材である。押圧バー１７ａは、Ｘ方向に延びている。押圧バー１７ａは、壁体２の厚さ方向から見て、香り蒸気発生器１６と重ならない位置に設けられている。
押圧バー駆動部１７ｂは、押圧バー１７ａを、壁体２の背面に向かって往復駆動する。押圧バー駆動部１７ｂの構成は、押圧バー１７ａを壁体２の背面に向かって往復駆動できれば、特に限定されない。
図１４に示すように、押出送風器１７は、制御部１００Ｆと通信可能に接続されている。押出送風器１７の動作は、制御部１００Ｆからの制御信号に基づいて制御される。
【０１０３】
制御部１００Ｆは、ファン４ａ、５ａおよびディスプレイパネル３の他に、香り蒸気発生器１６および押出送風器１７と通信可能に接続されている。制御部１００Ｆは、第１の実施形態における制御部１００と同様の制御を行う他、香り蒸気発生器１６および押出送風器１７の動作も制御する。
制御部１００Ｆの具体的な制御動作については、香り蒸気発生器１６および押出送風器１７の動作説明とともに説明する。
【０１０４】
擬似窓構造１Ｆの動作について、第１の実施形態と異なる点を中心に説明する。
図１７は、本発明の第７の実施形態における送風装置の動作例を示すタイミングチャートである。図１７の横軸は時間である。以下では、横軸における時刻をｔｎ（ｎは自然数）で表す場合、ｉ＜ｊ（ｉ、ｊは自然数）であれば、ｔｉ＜ｔｊである。
【０１０５】
擬似窓構造１Ｆは、第１の実施形態の擬似窓構造１の送風装置４に代えて、送風装置４Ｆを備える。このため、擬似窓構造１Ｆの作用は、空気流Ｗ４が空気流Ｗ１６に代えられる以外は、第１の実施形態と同様である。以下では、空気流Ｗ１６を開口部Ｏに吹き出させる送風装置４Ｆの動作を説明する。なお、特に断らない限り、以下の動作は、制御部１００Ｆから制御対象に、動作に応じた制御信号が送出されることによって実行される。
第１の実施形態と同様、ファン４ａは、連続運転されてもよいし、間欠運転されてもよいが、簡単のため、ファン４ａが連続的に定常運転されている例で説明する。
【０１０６】
香り蒸気発生器１６において、各香料含浸材１８からは、各第２室１６ｅの気温や圧力に応じて微量の香り蒸気が蒸発している。しかし、各第２室１６ｅは、第１圧力損失フィルタ１６ｂおよび第２圧力損失フィルタ１６ｃに挟まれている。このため、吸気ファン１６ａが停止していると、各第２室１６ｅ内の香り蒸気はほとんど外部に漏れない。このため、各第２室１６ｅ内の香り蒸気は飽和状態である。
ファン４ａの定常回転によって、容積可変ダクト４ｆ内には、一定の空気流ｗ１が生じているが、吸気ファン１６ａが停止していると空気流ｗ１は、香り蒸気発生器１６内にほとんど流入しない。
【０１０７】
図１７に示すように、吸気ファン１６ａが回転される時刻ｔ１より前では、押圧バー１７ａの押し込み量は０である（曲線２０２参照）。このため、容積可変ダクト４ｆの容積は最大（図１７では、ｍａｘ）である（曲線２０３参照）。
容積可変ダクト４ｆ内には、ファン４ａの定常回転によって、一定風量ｆ１の空気流ｗ１が送風されている（曲線２０４参照）。
このとき、香り蒸気発生器１６の各吸気ファン１６ａが停止されているので、曲線２０５に示すように、容積可変ダクト４ｆ内の香り蒸気濃度は０である。
【０１０８】
時刻ｔ１において、例えば、第１発生器１６Ａの吸気ファン１６ａが回転開始される。これにより、図１６に示すように、吸気ファン１６ａから第１室１６ｄに空気流ｗ１が吸気される。空気流ｗ１の第１圧力損失フィルタ１６ｂを透過して第２室１６ｅに流入する。しかし、第１室１６ｄの内圧が高まると、第１室１６ｄの空気流ｗ１は第２室１６ｅに流入する。
第２室１６ｅ内では、空気流ｗ１が流入することで、香料含浸材１８からの蒸発量が増加する。空気流ｗ１は、香り蒸気を含んだ空気流ｗ２として第２圧力損失フィルタ１６ｃを透過し、容積可変ダクト４ｆ内に流出し始める。
このため、時刻ｔ１から容積可変ダクト４ｆ内には、空気流ｗ２の流量に応じて香り蒸気が流入する。一方、香り蒸気が混合された空気流Ｗ１６は、開口部Ｏから壁体２の正面に流れていくが、時刻ｔ２において、容積可変ダクト４ｆ内の香り蒸気濃度が平衡し、香り蒸気濃度が最大値になる。この平衡状態は、時刻ｔ２から、吸気ファン１６ａが停止される時刻ｔ５まで続く。時刻ｔ５において、吸気ファン１６ａが停止されると、空気流ｗ２の流入量が０になるため、香り蒸気濃度は漸次減少する。例えば、図１７の例では、時刻ｔ５から時刻ｔ７までに、香り蒸気濃度は最大値から０まで減少する。
【０１０９】
本実施形態では、香り蒸気濃度が最大になった空気流Ｗ１６を大量に放出して香りを感じさせるために、時刻ｔ２以降に、押出送風器１７を動作させる。図１７では、制御部１００Ｆは、時刻ｔ２において、押出送風器１７に動作を開始する制御信号を送出する。
これにより、押圧バー駆動部１７ｂの駆動によって、時刻ｔ２から時刻ｔ４までの間に押圧バー１７ａが壁体２の背面に向かって一往復する。
押圧バー１７ａの押し込み量は、時刻ｔ２から時刻ｔ３に向かって０から最大値まで増大する。これにより、容積可変ダクト４ｆが壁体２の背面と押圧バー１７ａとの間に挟まれて、容積が最大値から最小値まで減少する。この間に、空気流Ｗ１６の風量は、容積可変ダクト４ｆの容積の減少に伴って押し出される空気の風量がｆ１に加わってｆ２（ただし、ｆ２＞ｆ１）まで増大する。
押圧バー１７ａの押し込み量は、時刻ｔ３から時刻ｔ４に向かって最大値から０まで減少する。この間、容積可変ダクト４ｆは、押圧バー１７ａに拘束されないため、容積の増大が自由になる。これにより、容積可変ダクト４ｆの容積は最小値から最大値まで漸次増大する。例えば、曲線２０３で示されるように、容積可変ダクト４ｆの容積は、時刻ｔ３から時刻ｔ６までの間に、最大値まで戻る。
一方、空気流Ｗ１６の風量は、容積可変ダクト４ｆ内に流入する空気の一部が容積可変ダクト４ｆを膨らませるために使われるため、時刻ｔ３から急激に低下し、ｆ２からｆ０（ただし、ｆ０＜ｆ１）まで減少する。
【０１１０】
押出送風器１７によって、押し出される空気流Ｗ１６における香り蒸気濃度は、変化しない。しかし、空気流Ｗ１６の風量が増大するので、時刻ｔ２から時刻ｔ４までの間、開口部Ｏから正面側に吹き出す香り蒸気の量は、単位時間当たりでは増大する。このため、開口部Ｏの正面では、この時間内に、押圧前よりもさらに強い香りが漂うことになる。
【０１１１】
本実施形態の擬似窓構造１Ｆによれば、第１の実施形態と同様、閉鎖的空間に設けられていても開放的な空間に連通する窓と同様の開放感が得られる。
さらに、擬似窓構造１Ｆは、送風装置４Ｆを備えるので、第４の実施形態などと同様、香り蒸気発生器１６の吸気ファン１６ａを回転させることで、開口部Ｏから吹き出す空気流に香り蒸気を混合できる。
特に、送風装置４Ｆは、容積可変ダクト４ｆに香り蒸気が混合した空気が満たされており、押出送風器１７によって、容積可変ダクト４ｆ内の香り蒸気が混合した空気を短時間に開口部Ｏから放出することが可能である。これにより、開口部Ｏに漂う香りを押出送風器１７が動作するタイミングで強めることができる。このため、恒常的に香り蒸気を空気流に混合する場合に比べて、動的に強弱が付いた香りを含んだ空気流を送風することができる。
【０１１２】
［第８の実施形態］
本発明の第８の実施形態の擬似窓モジュールについて説明する。
図１８は、本発明の第８の実施形態の擬似窓モジュールの構成例を示す模式的な分解斜視図である。
【０１１３】
図１８に示す本実施形態の擬似窓モジュール３０は、適宜の壁体２１において、第２の実施形態の擬似窓構造１Ａに対応する擬似窓構造を形成するために用いられる。
擬似窓モジュール３０は、背面ユニット３０Ａと、正面ユニット３０Ｂと、第２の実施形態と同様の制御部１００と、を備える。
以下、第２の実施形態と異なる点を中心に説明する。
【０１１４】
壁体２１の厚さは、第２の実施形態における壁体２Ａと同様、Ｌ２Ａである。ただし、壁体２１には、正面ユニット３０Ｂをはめ込むために、開口部Ｏよりも大きな開口部Ｑが厚さ方向に貫通されている。開口部Ｑは、正面ユニット３０Ｂをはめ込んで取り付けることができれば、矩形状の開口には限定されない。ただし、壁体２１の背面には、開口部Ｑの周囲には、縁表面２ｃが形成可能な平面部を有する。
例えば、開口部Ｑは、擬似窓モジュール３０を装着するために壁体２１に追加工事された貫通孔でもよい。この場合、正面ユニット３０Ｂによって正面から覆われる部位は、開口部Ｑの内周面に凹凸などの工事跡が残っていてもよい。
以下では、一例として、開口部Ｑは、Ｘ方向において互いに対向しＹ方向に延びる縦方向内面２１ａと、Ｙ方向において互いに対向しＸ方向に延びる横方向内面２１ｂと、によって形成されている。
【０１１５】
背面ユニット３０Ａは、第２の実施形態におけるディスプレイパネル３、送風装置４、５、およびカバー部材６、７が互いに接合されて一体化され、さらに壁体２１の背面に装着可能な固定部が追加された構成を有する。
図１８に示す例では、カバー部材６、７に対応する部分は、側面カバー３１からなる。  側面カバー３１は、一対の側面部３１ａと、複数の固定部３１ｂと、を備える。
一対の側面部３１ａは、それぞれカバー部材６、７と同様の形状を有している。各側面部３１ａは、第２の実施形態における、送風装置４、５およびディスプレイパネル３に対するカバー部材６、７の接続関係と同様の位置関係において、本実施形態における送風装置４、５およびディスプレイパネル３と接合されている。
固定部３１ｂは、各側面部３１ａからＸ方向における外側に延びる板状部からなる。固定部３１ｂには、厚さ方向に取付孔３１ｃが貫通している。固定部３１ｂは、各側面部３１ａのＹ方向の端部にそれぞれ１つずつ形成されている。このため、固定部３１ｂは、図示された３個と、隠れているため図示できない１個と、の計４個からなる。
各固定部３１ｂは、取付孔３１ｃに挿通可能なネジ、ボルトなどによって壁体２１の背面に固定可能である。
【０１１６】
正面ユニット３０Ｂは、第２の実施形態における窓枠部８および開口部Ｏ８、Ｏに対応する構造を形成するために用いられる。
正面ユニット３０Ｂは、はめ込み枠３３、固定部３２、および窓枠３４（窓枠部）を備える。
【０１１７】
はめ込み枠３３は、開口部Ｑにはめ込み可能な矩形枠である。はめ込み枠３３の外周面は、例えば、縦方向内面２１ａおよび横方向内面２１ｂに平行な平面であってもよい。
はめ込み枠３３の内周面は、背面ユニット３０Ａから吹き出される空気流を壁体２１の正面側に流すための開口部Ｒを形成している。
開口部Ｒは、壁体２１への固定したときに、Ｘ方向において互いに対向しＹ方向に延びる縦方向内面３２ａと、Ｙ方向において互いに対向しＸ方向に延びる横方向内面３２ｂと、によって形成されている。
各縦方向内面３２ａ、各横方向内面３２ｂは、後述する窓枠３４の内部に貫通している。本実施形態では、第２の実施形態における開口部Ｏに対応して、縦方向内面３２ａの長さはＬ２ａ、横方向内面３２ｂの長さはＬ２ｂである。さらに、縦方向内面２ａ、横方向内面２ｂの奥行き方向の長さはＬｈである。
【０１１８】
固定部３２は、開口部Ｑにはめ込み枠３３がはめ込まれた状態で、正面ユニット３０Ｂを壁体２１に固定するために設けられている。固定部３２の形状は特に限定されないが、図１８に示す例では、固定部３２の形状は、はめ込み枠３３の外周部から外方に突出した平板状である。
固定部３２は、開口部Ｒの中心軸線に沿うはめ込み枠３３の長さはＬ２Ａである。ただし、はめ込み枠３３の長さは、Ｌ２Ａ未満でもよい。
固定部３２の壁体２１への固定方法は特に限定されない。例えば、壁体２１の正面側または背面側からビス、ボルトなどによって固定されてもよい。例えば、固定部３２は、壁体２１の正面または開口部Ｑの内周面との接着によって固定されてもよい。
【０１１９】
窓枠３４は、固定部３２からはめ込み枠３３と反対側に突出された矩形枠である。窓枠３４の内周面は、はめ込み枠３３の内周面と連続している。窓枠３４の外周部は、第２の実施形態における窓枠部８の外周部と同様の形状に形成されればよい。
図１８には、一例として、窓枠３４は、はめ込み枠３３と同様の矩形枠である。この場合、壁体２１上の固定部３２も正面から見えて、擬似窓モジュール３０における窓枠部の一部を構成している。このため、固定部３２において正面側の表面には、窓枠３４の外周部とともに、適宜の装飾が施されてもよい。
【０１２０】
擬似窓モジュール３０は、背面ユニット３０Ａが壁体２１の背面側から、正面ユニット３０Ｂが壁体２１の正面側から、それぞれ壁体２１に固定される。これにより、壁体２１上に、第２の実施形態と同様の擬似窓構造１Ａが形成される。
擬似窓モジュール３０によれば、擬似窓構造１Ａと同様の作用を備えるので、第２の実施形態と同様、閉鎖的空間に設けられていても開放的な空間に連通する窓と同様の開放感が得られる。
特に、擬似窓モジュール３０によれば、正面ユニット３０Ｂを交換することもできるため、窓枠部の外観を容易に変更することができる。
【０１２１】
なお、上記各実施形態では、表示体がディスプレイパネル３の場合の例で説明した。しかし、動画映像を用いなくてもよい場合には、表示体として、表示画面に画像が形成された表示板が用いられてもよい。画像としては、例えば、写真画像、絵画などが用いられてもよい。
【０１２２】
上記各実施形態では、周縁表示部と壁体の縁表面とが、それぞれの間に他の部材を挟むことなく対向している例で説明した。しかし、周縁表示部と壁体の縁表面との間に、送風可能な隙間が確保され、壁体の前側から開口部を通して見えないような部材であれば、周縁表示部と壁体の縁表面との間に他の部材が配置されていてもよい。
例えば、第１の実施形態におけるダクト４ｂ、５ｂにおいて、壁体２と当接する部位が、縁表面２ｃを覆うようにＸ方向に延ばされていてもよい。この場合、ダクト４ｂ、５ｂは薄い板材からなるため、板材表面から周縁表示部までの間に対向距離Ｌｗを確保することは容易である。このように縁表面２ｃがダクト４ｂ、５ｂの一部で覆われることによって、縁表面２ｃに汚れが付着したり、匂いが付着したりすることを防止できる。さらに、隙間を通して流れる空気流Ｗ４、Ｗ５に縁表面２ｃの汚れ、匂い等が混じることも防止できる。
このような構成によれば、例えば、縁表面２ｃが平滑面でない場合にも、ダクト４ｂ、５ｂの一部によって平滑な流路が形成できるので、空気流Ｗ４、Ｗ５の流れが円滑になる。
【０１２３】
上記各実施形態では、例えば、カバー部材６、７、吸気装置１３、１４、側面カバー３１などによって、表示体の外縁に沿って送風装置で覆われていない部位をすべて囲んでいる場合の例で説明した。
しかし、送風装置の吸気、送風への影響が少ない場合には、一部に空気の流通が可能な隙間が残されていてもよい。例えば、第１の実施形態等において、カバー部材６、７は省略されてもよい。
【０１２４】
上記第２の実施形態では、窓枠部８に開口部が形成されることによって、表示画面３ａが見える開口部Ｏ８、Ｏが常に開いている場合の例で説明した。しかし、窓枠部８には、開口部Ｏ８を開閉することができる扉、引き戸、カーテンなどが設けられていてもよい。
【０１２５】
上記第８の実施形態では、擬似窓モジュールが擬似窓構造１Ａに対応している場合の例で説明した。しかし、擬似窓モジュールは、上述の第１、第３〜第７の実施形態に対応する擬似窓構造を形成してもよい。この場合、正面ユニット３０Ｂは用いられない。さらに、壁体としては、各実施形態の壁体が用いられる。各壁体には、開口部Ｑに代えて、各擬似窓構造における開口部が形成される。
【０１２６】
以上、本発明の好ましい各実施形態を説明したが、本発明は各実施形態に限定されることはない。本発明の趣旨を逸脱しない範囲で、構成の付加、省略、置換、およびその他の変更が可能である。
また、本発明は前述した説明によって限定されることはなく、添付の特許請求の範囲によってのみ限定される。
例えば、上述の第１、第３〜第７の実施形態の擬似窓構造において、第２の実施形態における窓枠部８が付加されてもよい。
【符号の説明】
【０１２７】
１、１Ａ、１Ｂ、１Ｃ、１Ｄ、１Ｅ、１Ｆ  擬似窓構造
２、２Ａ、２０、２１  壁体
２ａ、２０ａ  縦方向内面
２ｂ、２０ｂ  横方向内面
２ｃ、２０ｃ  縁表面
３  ディスプレイパネル（表示体、映像表示パネル）
３ａ  表示画面
３ｂ  表示部
３ｃ  駆動回路
４、５、４Ｂ、４Ｅ、４Ｆ、５Ｂ、５Ｅ、５Ｆ、１１、１２  送風装置
４ａ  ファン（空気供給器）
４ｂ、５ｂ  ダクト
４ｃ、５ｃ  整風部材
４ｄ、４ｈ、５ｄ  開口（送風口）
４ｅ，５ｅ  吸気口
４ｆ  容積可変ダクト（空気収容部材）
４ｇ  送風ダクト部
５ａ、９、１１ａ、１２ａ  ファン
６、７  カバー部材
８  窓枠部
１０、１６  香り蒸気発生器（香り供給器）
１３、１４  吸気装置
１３ｄ、１４ｄ  開口（吸気口）
１５  背面カバー（筐体）
１７  押出送風器（押圧器）
３０  擬似窓モジュール
３０Ａ  背面ユニット
３０Ｂ  正面ユニット
３１  側面カバー
１００、１００Ｃ、１００Ｆ  制御部
Ｄｃ  中心表示部
Ｄｅ  周縁表示部
Ｏ、Ｏ８、Ｐ、Ｑ  開口部
Ｗ、ｗ１、ｗ２、Ｗ４、Ｗ４Ｅ、Ｗ５、Ｗ５Ｅ、Ｗ１１、Ｗ１２、Ｗ１６  空気流
【図１】
2020129042.tif 000003
【図２】
2020129042.tif 000004
【図３】
2020129042.tif 000005
【図４】
2020129042.tif 000006
【図５】
2020129042.tif 000007
【図６】
2020129042.tif 000008
【図７】
2020129042.tif 000009
【図８】
2020129042.tif 000010
【図９】
2020129042.tif 000011
【図１０】
2020129042.tif 000012
【図１１】
2020129042.tif 000013
【図１２】
2020129042.tif 000014
【図１３】
2020129042.tif 000015
【図１４】
2020129042.tif 000016
【図１５】
2020129042.tif 000017
【図１６】
2020129042.tif 000018
【図１７】
2020129042.tif 000019
【図１８】
2020129042.tif 000020